Podtech/llm-jp-corpus-v4-ja_patent huggingface dataset:
【手続補正書】
【提出日】平成21年3月17日(2009.3.17)
【手続補正１】
【補正対象書類名】特許請求の範囲
【補正対象項目名】全文
【補正方法】変更
【補正の内容】
【特許請求の範囲】
【請求項１】
第１の方向の振れを検出する第１の振れセンサと、
前記第１の方向とは異なる第２の方向の振れを検出する第２の振れセンサと、
前記第１の振れセンサが配置された第１の基板と、
前記第２の振れセンサが配置され、前記第１の基板とは異なる第２の基板と、
前記第１の基板に配置され、前記第１の振れセンサと前記第２の振れセンサとの少なくとも一方の信号を処理する処理回路と、
を備えたことを特徴とするレンズ鏡筒。
【請求項２】
請求項１に記載のレンズ鏡筒において、
前記処理回路は、前記第１の振れセンサと前記第２の振れセンサとの両方の信号を処理すること、
を特徴とするレンズ鏡筒。
【請求項３】
請求項１又は請求項２に記載のレンズ鏡筒において、
前記第１の基板と前記第２の基板とを接続する、可撓性を有する第３の基板を備え、
前記第２の振れセンサの信号は、前記第３の基板を介して前記処理回路に送られること、
を特徴とするレンズ鏡筒。
【請求項４】
請求項１から請求項３までのいずれか１項に記載のレンズ鏡筒において、
前記第１の基板と前記第２の基板は硬質基板であること、
を特徴とするレンズ鏡筒。
【請求項５】
請求項４に記載のレンズ鏡筒において、
前記第１の基板と前記第２の基板とは、基板面が直交するように配置されていること、
を特徴とするレンズ鏡筒。
【請求項６】
請求項５に記載のレンズ鏡筒において、
前記第１の基板と前記第２の基板とは、レンズ鏡筒が有するレンズの光軸まわりに配置されていること、
を特徴とするレンズ鏡筒。
【請求項７】
請求項５又は請求項６に記載のレンズ鏡筒において、
前記第１の振れセンサと前記第２の振れセンサの少なくとも一方は、振れを検出する検出軸の方向が、取り付けられている基板面に対して直交していること、
を特徴とするレンズ鏡筒。
【請求項８】
請求項１から請求項７までのいずれか１項に記載のレンズ鏡筒を備えた交換レンズ。
【請求項９】
請求項１から請求項７までのいずれか１項に記載のレンズ鏡筒を備えたカメラ。
【手続補正２】
【補正対象書類名】明細書
【補正対象項目名】０００４
【補正方法】変更
【補正の内容】
【０００４】
本発明は、以下のような解決手段により、前記課題を解決する。なお、理解を容易にするために、本発明の実施例に対応する符号を付して説明するが、これに限定されるものではない。
請求項１の発明は、第１の方向の振れを検出する第１の振れセンサ（１０Ｘ）と、前記第１の方向とは異なる第２の方向の振れを検出する第２の振れセンサ（１０Ｙ）と、前記第１の振れセンサが配置された第１の基板（１）と、前記第２の振れセンサが配置され、前記第１の基板とは異なる第２の基板（２）と、前記第１の基板に配置され、前記第１の振れセンサと前記第２の振れセンサとの少なくとも一方の信号を処理する処理回路（２０）と、を備えたことを特徴とするレンズ鏡筒（２００）である。
請求項２の発明は、請求項１に記載のレンズ鏡筒において、前記処理回路は、前記第１の振れセンサ（１０Ｘ）と前記第２の振れセンサ（１０Ｙ）との両方の信号を処理すること、を特徴とするレンズ鏡筒（２００）である。
請求項３の発明は、請求項１又は請求項２に記載のレンズ鏡筒において、前記第１の基板と前記第２の基板とを接続する、可撓性を有する第３の基板（３）を備え、前記第２の振れセンサの信号は、前記第３の基板を介して前記処理回路に送られること、を特徴とするレンズ鏡筒である。
請求項４の発明は、請求項１から請求項３までのいずれか１項に記載のレンズ鏡筒において、前記第１の基板と前記第２の基板は硬質基板であること、を特徴とするレンズ鏡筒である。
請求項５の発明は、請求項４に記載のレンズ鏡筒において、前記第１の基板（１）と前記第２の基板（２）とは、基板面が直交するように配置されていること、を特徴とするレンズ鏡筒（２００）である。
請求項６の発明は、請求項５に記載のレンズ鏡筒において、前記第１の基板（１）と前記第２の基板（２）とは、レンズ鏡筒が有するレンズの光軸まわりに配置されていること、を特徴とするレンズ鏡筒（２００）である。
請求項７の発明は、請求項５又は請求項６に記載のレンズ鏡筒において、前記第１の振れセンサ（１０Ｘ）と前記第２の振れセンサ（１０Ｙ）の少なくとも一方は、振れを検出する検出軸の方向が、取り付けられている基板面に対して直交していること、を特徴とするレンズ鏡筒（２００）である。
請求項８の発明は、請求項１から請求項７までのいずれか１項に記載のレンズ鏡筒を備えた交換レンズ（２００）である。
請求項９の発明は、請求項１から請求項７までのいずれか１項に記載のレンズ鏡筒を備えたカメラ（１００）である。
なお、符号を付した構成は適宜改良してもよい。また、少なくとも一部を他の構成物に代替してもよく、その配置について特に限定のない構成要件は、実施例で開示した配置に限らない。
【手続補正書】
【提出日】平成21年2月13日(2009.2.13)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折力の第２レンズ群、正の屈折力の第３レンズ群、正の屈折力の第４レンズ群より構成され、ズーミングに際して該第２、第４レンズ群が移動するズームレンズであって、該第２、第３レンズ群の焦点距離を各々ｆ２、ｆ３、広角端と望遠端における全系の焦点距離を各々ｆｗ、ｆｔとするとき
【数１】
2007271710.tif 000001
５.４０＜ ｆ３／ｆｗ ＜ １０.００
なる条件を満足することを特徴とするズームレンズ。
【請求項２】
前記第２レンズ群は物体側より像側へ順に、像側が凹面でメニスカス形状の負レンズ、両凹形状の負レンズ、正レンズより成り、該メニスカス形状の負レンズの材料の屈折率をｎ２１とするとき
１.８５ ＜ ｎ２１ ＜ ２.０５
なる条件を満足することを特徴とする請求項１に記載のズームレンズ。
【請求項３】
前記第２レンズ群は物体側より像側へ順に、像側が凹面でメニスカス形状の負レンズ、両凹形状の負レンズ、正レンズ、両凹形状の負レンズより成り、該メニスカス形状の負レンズの材料の屈折率をｎ２１とするとき
１.８５ ＜ ｎ２１ ＜ ２.０５
なる条件を満足することを特徴とする請求項１に記載のズームレンズ。
【請求項４】
前記第３レンズ群は、物体側より像側へ順に、両凸形状の正レンズ、物体側が凸面でメニスカス形状の負レンズより成り、該正レンズの物体側の面の曲率半径をＲ３１、中心肉厚をＤ３１とするとき、
０.２５ ＜ Ｄ３１／Ｒ３１ ＜ ０.５５
なる条件を満足することを特徴とする請求項１、２又は３に記載のズームレンズ。
【請求項５】
前記第３レンズ群を構成する負レンズの物体側の面の曲率半径をＲ３２ａ、像側の面の曲率半径をＲ３２ｂとするとき、
１.５０＜ Ｒ３２ａ／Ｒ３２ｂ ＜ ３.９０
なる条件を満足することを特徴とする請求項１から４のいずれか１項に記載のズームレンズ。
【請求項６】
前記第４レンズ群は、フォーカスに際して移動し、望遠端において無限遠物体に合焦しているときの横倍率をβ４Ｔとするとき、
０.４０ ＜ β４Ｔ ＜ ０.７０
なる条件を満足することを特徴とする請求項１から５のいずれか１項に記載のズームレンズ。
【請求項７】
前記第１レンズ群の焦点距離をｆ１とするとき、
０.２０ ＜ ｆ１／ｆｔ ＜ ０.４０
なる条件を満足することを特徴とする請求項１から６のいずれか１項に記載のズームレンズ。
【請求項８】
固体撮像素子に像を形成することを特徴とする請求項１から７のいずれか１項に記載のズームレンズ。
【請求項９】
請求項１から８のいずれか１項に記載のズームレンズと、該ズームレンズによって形成された像を受光する固体撮像素子を有していることを特徴とする撮像装置。
【手続補正２】
【補正対象書類名】明細書
【補正対象項目名】００１３
【補正方法】変更
【補正の内容】
【００１３】
本発明のズームレンズは、物体側より像側へ順に、正の屈折力の第１レンズ群、負の屈折力の第２レンズ群、正の屈折力の第３レンズ群、正の屈折力の第４レンズ群より構成され、ズーミングに際して該第２、第４レンズ群が移動するズームレンズであって、該第２、第３レンズ群の焦点距離を各々ｆ２、ｆ３、広角端と望遠端における全系の焦点距離を各々ｆｗ、ｆｔとするとき
【手続補正書】
【提出日】平成21年2月2日(2009.2.2)
【手続補正１】
【補正対象書類名】特許請求の範囲
【補正対象項目名】全文
【補正方法】変更
【補正の内容】
【特許請求の範囲】
【請求項１】
外部プリンタを接続するための接続手段と、
前記外部プリンタにおいて印刷可能な画像データ形式を取得する取得手段と、
設定及び演奏操作の少なくともいずれかを入力するための操作子と、
前記操作子による操作履歴と前記操作子による操作に基づく自機の設定状態の遷移との少なくともいずれかをログとして記録する記録手段と、
前記記録したログを表す画像データを、前記取得した画像データ形式で生成する生成手段と、
前記生成した画像データを前記外部プリンタに送り、印刷させる印刷指示手段と
を有する電子楽器。
【請求項２】
さらに、外部機器からの演奏情報及び設定情報を受信する受信手段を有し、
前記記録手段は、前記受信した演奏情報及び設定情報の受信履歴と前記設定情報による自機の設定状態の遷移とをログとして記録する請求項１記載の電子楽器。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】
本発明の一観点によれば、電子楽器は、外部プリンタを接続するための接続手段と、前記外部プリンタにおいて印刷可能な画像データ形式を取得する取得手段と、設定及び演奏操作の少なくともいずれかを入力するための操作子と、前記操作子による操作履歴と前記操作子による操作に基づく自機の設定状態の遷移との少なくともいずれかをログとして記録する記録手段と、前記記録したログを表す画像データを、前記取得した画像データ形式で生成する生成手段と、前記生成した画像データを前記外部プリンタに送り、印刷させる印刷指示手段とを有する。
【手続補正書】
【提出日】平成21年3月31日(2009.3.31)
【手続補正１】
【補正対象書類名】特許請求の範囲
【補正対象項目名】全文
【補正方法】変更
【補正の内容】
【特許請求の範囲】
【請求項１】
複数の電気光学素子を有する画素がマトリクス状に配置されたカラー表示部と、前記カラー表示部に列毎に共通に接続された複数のデータ線と、データ信号を前記複数のデータ線に出力する複数の列駆動回路と、前記データ信号を行毎に前記画素に供給するための複数の行選択線と、が形成された表示パネルと、
前記カラー表示部の色毎のデジタル映像信号を各々アナログ映像信号に変換する色毎のデジタル・アナログ変換器を含む信号処理回路と、を有し、
前記色毎のデジタル・アナログ変換器により変換されたアナログ映像信号が、複数のアナログ映像信号ラインを介して前記列駆動回路に入力されるカラー表示装置であって、
前記色毎のデジタル・アナログ変換器の出力先を前記複数のアナログ映像信号ラインのなかから選択し接続するための第１の選択回路と、
前記複数の列駆動回路の出力先を前記複数のデータ線のなかから選択し接続するための第２の選択回路と、
各色のデジタル映像信号に対応するデータ信号が、対応する色の画素に供給されるように、前記第１及び第２の選択回路を制御する制御回路と、
を有することを特徴とするカラー表示装置。
【請求項２】
前記第１の選択回路は単結晶半導体を用いた集積回路であり、前記第２の選択回路は非単結晶半導体を用いた集積回路である請求項１に記載のカラー表示装置。
【請求項３】
前記第１の選択回路と前記第２の選択回路とは非単結晶半導体を用いた集積回路である請求項１に記載のカラー表示装置。
【請求項４】
前記第２の選択回路と前記列駆動回路とは非単結晶半導体を用いた集積回路である請求項１に記載のカラー表示装置。
【手続補正２】
【補正対象書類名】明細書
【補正対象項目名】０００８
【補正方法】変更
【補正の内容】
【０００８】
本発明の第１の骨子は、
複数の電気光学素子を有する画素がマトリクス状に配置されたカラー表示部と、前記カラー表示部に列毎に共通に接続された複数のデータ線と、データ信号を前記複数のデータ線に出力する複数の列駆動回路と、前記データ信号を行毎に前記画素に供給するための複数の行選択線と、が形成された表示パネルと、
前記カラー表示部の色毎のデジタル映像信号を各々アナログ映像信号に変換する色毎のデジタル・アナログ変換器を含む信号処理回路と、を有し、
前記色毎のデジタル・アナログ変換器により変換されたアナログ映像信号が、複数のアナログ映像信号ラインを介して前記列駆動回路に入力されるカラー表示装置であって、
前記色毎のデジタル・アナログ変換器の出力先を前記複数のアナログ映像信号ラインのなかから選択し接続するための第１の選択回路と、
前記複数の列駆動回路の出力先を前記複数のデータ線のなかから選択し接続するための第２の選択回路と、
各色のデジタル映像信号に対応するデータ信号が、対応する色の画素に供給されるように、前記第１及び第２の選択回路を制御する制御回路と、
を有することを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００３７
【補正方法】変更
【補正の内容】
【００３７】
そして、第１の選択回路１３と第２の選択回路３４とは、協働して後述する適切な接続状態を選択するように、信号処理回路３２内の制御回路１３や制御回路３５により制御される。
【手続補正５】
【補正対象書類名】明細書
【補正対象項目名】００４６
【補正方法】変更
【補正の内容】
【００４６】
一方、図５の分散スイッチ部３４によって選択された列駆動回路の駆動係数を下表２に示す。ここで、図４に示した列駆動回路では、先の水平走査期間でアナログ映像信号をサンプリングし、次の水平走査期間で先にサンプリングしたアナログ映像信号を電圧電流変換したデータ信号電流を供給する。よって、下表２に分散スイッチ部１３の状態を対応させるとすると、上から（３）（１）（２）（３）（１）（２）の順になる。
【手続補正書】
【提出日】平成21年3月11日(2009.3.11)
【手続補正１】
【補正対象書類名】特許請求の範囲
【補正対象項目名】全文
【補正方法】変更
【補正の内容】
【特許請求の範囲】
【請求項１】
有機ＥＬ素子と、駆動ＴＦＴと、該駆動ＴＦＴのゲートソース間に設けられた容量と、各々一定電位を供給する第１、第２および第３の給電線と、信号電流源が接続された信号線とを有し、前記有機ＥＬ素子の一方の電極が前記第１の給電線に接続され、前記有機ＥＬ素子の他方の電極が前記駆動ＴＦＴのドレインに接続された有機ＥＬ表示装置の駆動方法であって、
（１）  前記駆動ＴＦＴのゲートを前記第３の給電線に接続し、かつ前記駆動ＴＦＴのソースを前記信号線に接続して、前記駆動ＴＦＴのソースドレイン間に前記信号電流を流す工程、
（２）  前記駆動ＴＦＴのゲートを前記第３の給電線から切り離して、前記信号電流を流す工程における前記容量の両端電圧を保持する工程、
（３）  前記駆動ＴＦＴのソースを前記信号線から切り離す工程、ならびに
（４）  前記駆動ＴＦＴのソースを前記第２の給電線に接続して、前記第１の給電線と第２の給電線の間に前記駆動ＴＦＴと前記有機ＥＬ素子とを通じた電流を流す工程
を有する有機ＥＬ表示装置の駆動方法。
【請求項２】
前記第１と第３の給電線間の電圧を、前記信号電流源が前記有機ＥＬ表示装置の輝度を最小にする信号電流を前記信号線に供給したときの、（前記（１）の工程における前記有機ＥＬ素子の両電極間の電圧＋前記駆動ＴＦＴのゲートソース間電圧）以上であって、かつ前記信号電流源が前記有機ＥＬ表示装置の輝度を最大にする信号電流を前記信号線に供給したときの、（前記（１）の工程における前記有機ＥＬ素子の両電極間の電圧＋前記駆動ＴＦＴのゲートソース間電圧）以下とする請求項１に記載の有機ＥＬ表示装置の駆動方法。
【請求項３】
前記第１と第２の給電線間の電圧を、前記信号電流源が前記有機ＥＬ表示装置の輝度を最大にする信号電流を前記信号線に供給したときの、（前記（１）の工程における前記駆動ＴＦＴのソースドレイン間電圧＋同工程における前記有機ＥＬ素子の両電極間の電圧）以上であって、かつ（前記（１）の工程における前記駆動ＴＦＴのソースドレイン間電圧＋同工程における前記有機ＥＬ素子の両電極間の電圧＋前記駆動ＴＦＴの閾値電圧）未満とする請求項１に記載の有機ＥＬ表示装置の駆動方法。
【請求項４】
前記信号電流源が前記有機ＥＬ表示装置の輝度を最大にする信号電流を前記信号線に供給したときの、前記（１）の工程における前記信号線の電位を、前記第２の給電線の電位と等しくする請求項３に記載の有機ＥＬ表示装置の駆動方法。
【請求項５】
有機ＥＬ素子と、駆動ＴＦＴと、該駆動ＴＦＴのゲートソース間に設けられた容量と、各々一定電位を供給する第１、第２および第３の給電線と、信号電流源が接続された信号線とを有し、前記有機ＥＬ素子の一方の電極が前記第１の給電線に接続され、前記有機ＥＬ素子の他方の電極が前記駆動ＴＦＴのドレインに接続された有機ＥＬ表示装置であって、
前記駆動ＴＦＴのゲートと前記第３の給電線との間に設けられた第１のスイッチと、前記駆動ＴＦＴのソースと前記信号線との間に設けられた第２のスイッチと、前記駆動ＴＦＴのソースと前記第２の給電線との間に設けられた第３のスイッチと、前記第１ないし第３のスイッチの開閉を制御する手段とをさらに有することを特徴とする有機ＥＬ表示装置。
【手続補正２】
【補正対象書類名】明細書
【補正対象項目名】発明の名称
【補正方法】変更
【補正の内容】
【発明の名称】有機ＥＬ表示装置およびその駆動方法
【手続補正３】
【補正対象書類名】明細書
【補正対象項目名】００４５
【補正方法】変更
【補正の内容】
【００４５】
一般にＴＦＴに有意のドレイン電流（Ｉｄｓ）を流すには、ゲートソース間電圧（Ｖｇｓ）を駆動ＴＦＴの閾値電圧（Ｖｔｈ）以上とする必要がある。Ｖｔｈは低温ポリシリコンＴＦＴの場合、１〜３Ｖ程度である事が多い。図８はＶｇｓを一定（但しＶｇｓ＞Ｖｔｈ）とする条件での、飽和特性が完全なＴＦＴのＩｄｓのドレインソース間電圧（Ｖｄｓ）依存性を示したものである。
【手続補正書】
【提出日】平成21年3月24日(2009.3.24)
【手続補正１】
【補正対象書類名】特許請求の範囲
【補正対象項目名】全文
【補正方法】変更
【補正の内容】
【特許請求の範囲】
【請求項１】
電流に応じて発光輝度が制御される表示素子と、
電流の値が設定され、設定された電流を前記表示素子に供給する画素回路と、
前記表示素子と前記画素回路の組が行方向および列方向にマトリクス状に複数配置された画像表示部と、
前記画像表示部の行毎に設けられた走査線と、
前記画像表示部の行毎に設けられた発光期間制御線と、
前記画像表示部の行数に応じて配置され、前記画素回路が前記表示素子に供給する電流を設定する期間を制御する走査信号を前記走査線に出力し、かつ前記画素回路が前記表示素子に電流を供給する期間を制御する発光期間制御信号を前記発光期間制御線に出力する行制御回路と、
前記画像表示部の列毎に設けられたデータ線と、
前記画像表示部の列数に応じて配置され、前記画素回路が前記表示素子に供給する電流に応じたデータ信号を前記データ線に出力する列制御回路と、
を有する表示装置であって、
前記行制御回路が前記画像表示部の奇数行の前記走査線に前記走査信号を出力し、前記列制御回路が前記データ信号を前記データ線に出力して、前記画像表示部の奇数行の表示素子に供給する電流を当該表示素子の前記画素回路に設定する第１の動作と、
前記行制御回路が前記画像表示部の偶数行の前記走査線に前記走査信号を出力し、前記列制御回路が前記データ信号を前記データ線に出力して、前記画像表示部の偶数行の表示素子に供給する電流を当該表示素子の前記画素回路に設定する第２の動作とを交互に繰り返して行い、
前記第１と第２の動作の繰り返しの周期に同期して、前記繰り返し周期内に前記第１または第２の動作により電流が設定される回数の２倍以上の回数、前記行制御回路が前記画像表示部の奇数行と偶数行の前記発光期間制御線に前記発光期間制御信号を出力し、前記表示素子に、当該表示素子の前記画素回路内に設定された電流を一定期間供給することを特徴とする表示装置。
【請求項２】
隣接する２行の前記発光期間制御線に同時に前記発光期間制御信号が出力されることを特徴とする請求項１に記載の表示装置。
【請求項３】
前記行制御回路の前記発光期間制御信号の出力端子数が前記走査信号の出力端子数の１／２であり、前記発光期間制御信号が、隣接する２行が共通に接続された前記発光期間制御線に出力されることを特徴とする請求項１に記載の表示装置。
【請求項４】
前記行制御回路が前記画像表示部の奇数行と偶数行の前記発光期間制御線に前記発光期間制御信号を出力する期間は、前記第１または第２の動作において前記行制御回路が当該奇数行または偶数行の前記走査線に前記走査信号を出力する期間以外の期間であることを特徴とする請求項１ないし３のいずれか１項に記載の表示装置。
【請求項５】
前記行制御回路がシフトレジスタを含み、該シフトレジスタの入力信号の継続期間に等しい長さの時間、前記発光期間制御信号を生成することを特徴とする請求項１ないし４のいずれか１項に記載の表示装置。
【請求項６】
前記発光期間制御信号の生成期間が外部信号により制御されることを特徴とする請求項１ないし５のいずれか１項に記載の表示装置。
【請求項７】
前記外部信号は、１周期を１走査期間とする連続信号であることを特徴とする請求項６に記載の表示装置。
【請求項８】
前記画素回路が前記表示素子に供給する電流の設定が、再度前記表示素子に供給する電流を設定するまで保持されていることを特徴とする請求項１ないし７のいずれか１項に記載の表示装置。
【手続補正２】
【補正対象書類名】明細書
【補正対象項目名】発明の名称
【補正方法】変更
【補正の内容】
【発明の名称】表示装置
【手続補正書】
【提出日】平成21年3月31日(2009.3.31)
【手続補正１】
【補正対象書類名】特許請求の範囲
【補正対象項目名】全文
【補正方法】変更
【補正の内容】
【特許請求の範囲】
【請求項１】
少なくとも第１の給電線と、第１の給電線とは異なる電位を有する第２の給電線と、第３の給電線と、信号電流源が接続された信号線と、各々が少なくとも有機ＥＬ素子と、駆動ＴＦＴと、駆動ＴＦＴのゲートソース間電圧の保持手段とを有する複数の画素回路とから構成される有機ＥＬ表示装置の駆動方法であって、
前記画素回路の有機ＥＬ素子の一方の電極を前記第１の給電線に接続し、前記駆動ＴＦＴのドレインを前記第２の給電線に接続し、
信号書込み期間には、前記駆動ＴＦＴのゲートを前記第３の給電線に接続し、かつ前記駆動ＴＦＴのソースを前記信号線に接続して、前記信号電流源から前記データ線に供給される信号電流を前記駆動ＴＦＴに流し、この時の前記駆動ＴＦＴのゲートソース間電圧を保持し、
画像表示期間には、前記駆動ＴＦＴのゲートを前記第３の給電線から切り離し、前記駆動ＴＦＴのソースを前記信号線から切り離し前記有機ＥＬ素子の他方の電極に接続して、前記有機ＥＬ素子に電流を流すことを特徴とする有機ＥＬ表示装置の駆動方法。
【請求項２】
前記第３の給電線の電位を、表示すべき最小輝度レベルに対応する電流を前記有機ＥＬ素子に流した時の（前記駆動ＴＦＴのゲートソース間電圧＋前記有機ＥＬ素子の電圧降下）以上、表示すべき最大輝度レベルに対応する電流を前記有機ＥＬ素子に流した時の（前記駆動ＴＦＴのゲートソース間電圧＋前記有機ＥＬ素子での電圧降下）以下の値に設定することを特徴とする請求項１に記載の有機ＥＬ表示装置の駆動方法。
【手続補正書】
【提出日】平成21年3月31日(2009.3.31)
【手続補正１】
【補正対象書類名】特許請求の範囲
【補正対象項目名】全文
【補正方法】変更
【補正の内容】
【特許請求の範囲】
【請求項１】
同期信号が入力され、該同期信号に同期してデータ線に時系列データ信号を供給する手段と、タイミング信号を発生する手段と、該タイミング信号の該同期信号に対する遅延時間を制御する手段とを含む信号制御部と、
前記タイミング信号が入力され、該タイミング信号に同期してサンプリング信号を順次発生するシフトレジスタと、
前記サンプリング信号が入力され、前記データ線に供給された時系列データ信号を、該サンプリング信号に同期してサンプリングするとともに、サンプリングしたデータ信号に応じた電流または電圧を出力する複数のサンプリング回路と、
一端がスイッチを介して前記複数のサンプリング回路の各出力端子に接続され、他端が前記信号制御部に接続された共通出力線と、
を有するサンプリング装置であって、
前記複数のサンプリング回路は、前記シフトレジスタの少なくとも初段または最終段が発生するサンプリング信号に同期して、前記時系列データ信号をサンプリングするサンプリング回路を含んでおり、
前記信号制御部は、
前記スイッチを開閉する制御信号を発生し、
該スイッチが閉じている期間に、前記時系列データ信号を供給する手段から前記データ線に、前記シフトレジスタの段数に等しいデータ数を持ち、時系列の最初または最終のデータが第１のデータであり、その他のデータが第１のデータとは異なる第２のデータである時系列データ信号を供給し、前記タイミング信号を発生する手段から、前記同期信号に対して遅延したタイミング信号を発生させ、前記遅延時間を制御する手段により該タイミング信号の遅延時間を一定範囲で掃引しながら、前記共通出力線の出力電流または電圧を計測して、前記掃引範囲において計測した電流または電圧が最大になる遅延時間を決定し、記憶する動作を行い、
該スイッチが開いている期間に、前記データ線に被サンプリング信号を供給し、前記タイミング信号を発生する手段から、前記記憶した遅延時間だけ前記同期信号に対して遅延したタイミング信号を発生させる動作を行う
ことを特徴とするサンプリング装置。
【請求項２】
前記第１のデータが前記サンプリング回路の出力電流または電圧を最大にするデータであり、前記第２のデータが前記サンプリング回路の出力電流または電圧を最小にするデータである請求項１に記載のサンプリング装置。
【請求項３】
該スイッチが閉じている期間に前記データ線に供給される前記時系列データ信号は、前記第１のデータを時系列の最終のデータとする時系列データ信号であり、該期間に前記遅延時間が短い方から開始して長い方に掃引される請求項１に記載のサンプリング装置。
【請求項４】
該スイッチが閉じている期間に前記データ線に供給される前記時系列データ信号は、前記第１のデータを時系列の最初のデータとする時系列データ信号であり、該期間に前記遅延時間が長い方から開始して短い方に掃引される請求項１に記載のサンプリング装置。
【請求項５】
前記サンプリング回路が、前記シフトレジスタの各段に対応して設けられている請求項１に記載のサンプリング装置。
【請求項６】
前記サンプリング回路が、前記シフトレジスタの最終段の隣接段を除き各段に対応して設けられており、該スイッチが閉じている期間の前記時系列データ信号が、時系列の最終のデータを前記第１のデータとする時系列データ信号である請求項１に記載のサンプリング装置。
【請求項７】
前記サンプリング回路が、前記シフトレジスタの初段の隣接段を除き各段に対応して設けられており、該スイッチが閉じている期間の前記時系列データ信号が、時系列の最初のデータを前記第１のデータとする時系列データ信号である請求項１に記載のサンプリング装置。
【請求項８】
請求項１ないし７のいずれか１項に記載のサンプリング装置を含む表示装置であって、行方向に延びる複数の走査電極と、該走査電極に交差する複数の列電極と、該走査電極と列電極の交差部に配置された複数の画素とを含む表示パネルを備え、前記スイッチが開かれている間、前記サンプリング回路の出力端子が、前記列電極に接続されていることを特徴とする表示装置。
【手続補正２】
【補正対象書類名】明細書
【補正対象項目名】発明の名称
【補正方法】変更
【補正の内容】
【発明の名称】サンプリング装置、それを用いた表示装置
【手続補正３】
【補正対象書類名】明細書
【補正対象項目名】０００８
【補正方法】変更
【補正の内容】
【０００８】
本発明のサンプリング装置は、同期信号が入力され、該同期信号に同期してデータ線に時系列データ信号を供給する手段と、タイミング信号を発生する手段と、該タイミング信号の該同期信号に対する遅延時間を制御する手段とを含む信号制御部と、
前記タイミング信号が入力され、該タイミング信号に同期してサンプリング信号を順次発生するシフトレジスタと、
前記サンプリング信号が入力され、前記データ線に供給された時系列データ信号を、該サンプリング信号に同期してサンプリングするとともに、サンプリングしたデータ信号に応じた電流または電圧を出力する複数のサンプリング回路と、
一端がスイッチを介して前記複数のサンプリング回路の各出力端子に接続され、他端が前記信号制御部に接続された共通出力線と、
を有するサンプリング装置であって、
前記複数のサンプリング回路は、前記シフトレジスタの少なくとも初段または最終段が発生するサンプリング信号に同期して、前記時系列データ信号をサンプリングするサンプリング回路を含んでおり、
前記信号制御部は、
前記スイッチを開閉する制御信号を発生し、
該スイッチが閉じている期間に、前記時系列データ信号を供給する手段から前記データ線に、前記シフトレジスタの段数に等しいデータ数を持ち、時系列の最初または最終のデータが第１のデータであり、その他のデータが第１のデータとは異なる第２のデータである時系列データ信号を供給し、前記タイミング信号を発生する手段から、前記同期信号に対して遅延したタイミング信号を発生させ、前記遅延時間を制御する手段により該タイミング信号の遅延時間を一定範囲で掃引しながら前記共通出力線の出力電流または電圧を計測して、前記掃引範囲において計測した電流または電圧が最大になる遅延時間を決定し、記憶する動作を行い、
該スイッチが開いている期間に、前記データ線に被サンプリング信号を供給し、前記タイミング信号を発生する手段から、前記記憶した遅延時間だけ前記同期信号に対して遅延したタイミング信号を発生させる動作を行う
ことを特徴とする。
【手続補正書】
【提出日】平成21年3月31日(2009.3.31)
【手続補正１】
【補正対象書類名】特許請求の範囲
【補正対象項目名】全文
【補正方法】変更
【補正の内容】
【特許請求の範囲】
【請求項１】
複数の指標が一次元的に布設された現実空間、を撮像する撮像装置の位置姿勢を計測する位置姿勢計測方法であって、
取得手段が、前記撮像装置の姿勢情報を取得する姿勢情報取得工程と、
検出手段が、撮像画像中の前記複数の指標を検出する指標検出工程と、
変換手段が、前記指標検出工程で検出された複数の指標を対応する系列情報に変換する変換工程と、
照合手段が、予め定めた符号列中における、前記系列情報と合致する部分を検出する照合工程と、
座標算出手段が、前記系列情報の前記符号列中における位置と、指標の配置に関する既知の情報とを用いて前記検出された指標の各々の現実空間における座標値を求める座標算出工程と、
位置姿勢算出手段が、前記姿勢情報と前記座標値とを用いて、前記撮像装置の位置姿勢を算出する位置姿勢算出工程とを有することを特徴とする位置姿勢計測方法。
【請求項２】
補正手段が、前記指標検出工程で検出された前記複数の指標が含まれる画像領域の歪みを補正する補正工程をさらに有し、
前記変換工程が、前記補正を行った後の画像を用いて前記変換を行うことを特徴とする請求項１記載の位置姿勢計測方法。
【請求項３】
前記変換工程が、前記複数の指標の各々の種類を識別することによって前記変換を行うことを特徴とする請求項１又は請求項２に記載の位置姿勢計測方法。
【請求項４】
前記変換工程が、前記複数の指標の各々の種類を分類し、分類毎に系列情報に変換することを特徴とする請求項３記載の位置姿勢計測方法。
【請求項５】
前記指標の配置に関する既知の情報が、指標の配置方向に関する情報、指標の間隔に関する情報、基準となる指標の座標の少なくとも１つを含むことを特徴とする請求項１乃至請求項４のいずれか１項に記載の位置姿勢計測方法。
【請求項６】
前記姿勢情報検出工程が、重力方向に対する前記撮像装置の姿勢を検出する姿勢検出装置から前記姿勢情報を取得することを特徴とする請求項１乃至請求項５のいずれか１項に記載の位置姿勢計測方法。
【請求項７】
前記予め定めた符号列が、自己相関関数が周期内で１となるものが１つしかない符号列であることを特徴とする請求項１乃至請求項６のいずれか１項に記載の位置姿勢計測方法。
【請求項８】
請求項１乃至請求項７のいずれか１項に記載の位置姿勢計測方法における各工程をコンピュータ装置に実行させるためのプログラム。
【請求項９】
請求項８記載のプログラムを記録したコンピュータ読み取り可能な記録媒体。
【請求項１０】
複数の指標が一次元的に布設された現実空間、を撮像する撮像装置の位置姿勢を計測する位置姿勢計測装置であって、
前記撮像装置の姿勢情報を取得する姿勢情報取得手段と、
撮像画像中の前記複数の指標を検出する指標検出手段と、
前記指標検出手段で検出された複数の指標を、対応する系列情報に変換する変換手段と、
予め定めた符号列中における、前記系列情報と合致する部分を検出する照合手段と、
前記系列情報の前記符号列中における位置と、指標の配置に関する既知の情報とを用いて前記検出された指標の各々の現実空間における座標値を求める座標算出手段と、
前記姿勢情報と前記座標値とを用いて、前記撮像装置の位置姿勢を算出する位置姿勢算出手段とを有することを特徴とする位置姿勢計測装置。
【手続補正２】
【補正対象書類名】明細書
【補正対象項目名】００２２
【補正方法】変更
【補正の内容】
【００２２】
上述の目的は、複数の指標が一次元的に布設された現実空間、を撮像する撮像装置の位置姿勢を計測する位置姿勢計測方法であって、取得手段が、撮像装置の姿勢情報を取得する姿勢情報取得工程と、検出手段が、撮像画像中の複数の指標を検出する指標検出工程と、変換手段が、指標検出工程で検出された複数の指標を対応する系列情報に変換する変換工程と、照合手段が、予め定めた符号列中における、系列情報と合致する部分を検出する照合工程と、座標算出手段が、系列情報の符号列中における位置と、指標の配置に関する既知の情報とを用いて検出された指標の各々の現実空間における座標値を求める座標算出工程と、位置姿勢算出手段が、姿勢情報と座標値とを用いて、撮像装置の位置姿勢を算出する位置姿勢算出工程とを有することを特徴とする位置姿勢計測方法によって達成される。
【手続補正３】
【補正対象書類名】明細書
【補正対象項目名】００２３
【補正方法】変更
【補正の内容】
【００２３】
また、上述の目的は、複数の指標が一次元的に布設された現実空間、を撮像する撮像装置の位置姿勢を計測する位置姿勢計測装置であって、撮像装置の姿勢情報を取得する姿勢情報取得手段と、撮像画像中の複数の指標を検出する指標検出手段と、指標検出手段で検出された複数の指標を、対応する系列情報に変換する変換手段と、予め定めた符号列中における、系列情報と合致する部分を検出する照合手段と、系列情報の符号列中における位置と、指標の配置に関する既知の情報とを用いて検出された指標の各々の現実空間における座標値を求める座標算出手段と、姿勢情報と座標値とを用いて、撮像装置の位置姿勢を算出する位置姿勢算出手段とを有することを特徴とする位置姿勢計測装置によっても達成される。
【手続補正書】
【提出日】平成21年3月29日(2009.3.29)
【手続補正１】
【補正対象書類名】特許請求の範囲
【補正対象項目名】全文
【補正方法】変更
【補正の内容】
【特許請求の範囲】
【請求項１】
本体に設けられた吸込口と吹出口を結ぶ空気通路に除塵用のエアフィルターを配置してなる空気調和機において、前記エアフィルターに付着した塵埃の除去手段として、ブラシ片が複数の芯線により捩られた除塵体を有し、前記複数の芯線の少なくとも１本以上の断面は３本以上の直線で囲まれた形状を有することを特徴とする空気調和機の清掃装置。
【請求項２】
本体に設けられた吸込口と吹出口を結ぶ空気通路に除塵用のエアフィルターを配置してなる空気調和機において、前記エアフィルターに付着した塵埃の除去手段として、ブラシ片が複数の芯線により捩られた除塵体を有し、前記複数の芯線の少なくとも１本以上の断面は曲線と直線で囲まれた形状を有することを特徴とする空気調和機の清掃装置。
【請求項３】
本体に設けられた吸込口と吹出口を結ぶ空気通路に除塵用のエアフィルターを配置してなる空気調和機において、前記エアフィルターに付着した塵埃の除去手段として、ブラシ片が複数の芯線により捩られた除塵体を有し、前記複数の芯線の少なくとも１本以上の断面は２つの定点からの距離の和が一定な点の軌跡で囲まれた楕円形状の断面を有することを特徴とする空気調和機の清掃装置。
【請求項４】
本体に設けられた吸込口と吹出口を結ぶ空気通路に除塵用のエアフィルターを配置してなる空気調和機において、前記エアフィルターに付着した塵埃の除去手段として、ブラシ片が複数の芯線により捩られた除塵体を有し、前記複数の芯線の少なくとも１本以上の断面は１つ以上の角部と１つ以上の曲線で囲まれた形状を有することを特徴とする空気調和機の清掃装置。
【請求項５】
本体に設けられた吸込口と吹出口を結ぶ空気通路に除塵用のエアフィルターを配置してなる空気調和機において、前記エアフィルターに付着した塵埃の除去手段として、ブラシ片が複数の芯線により捩られた除塵体を有し、前記複数の芯線の少なくとも１本以上の断面は少なくとも４つ以上の接点、及び４つ以上の円弧で囲まれた形状を有することを特徴とする空気調和機の清掃装置。
【請求項６】
本体に設けられた吸込口と吹出口を結ぶ空気通路に除塵用のエアフィルターを配置してなる空気調和機において、前記エアフィルターに付着した塵埃の除去手段として、ブラシ片が３本以上の芯線により捩られた除塵体を有し、前記３本以上の芯線の断面は円形状を有することを特徴とする空気調和機の清掃装置。
【請求項７】
請求項１〜６のうち、何れかに記載の清掃装置を有する空気調和機。
【手続補正２】
【補正対象書類名】明細書
【補正対象項目名】００１１
【補正方法】変更
【補正の内容】
【００１１】
第１の発明は、本体に設けられた吸込口と吹出口を結ぶ空気通路に、除塵用のエアフィルターを配置してなる空気調和機において、前記エアフィルターに付着した塵埃の除去手段として、ブラシ片が複数の芯線により捩られた除塵体を有し、前記複数の芯線の少なくとも１本以上の断面は、３本以上の直線で囲まれた形状を有しているため、腰の強い、全長が長くても撓みの少なく、かつブラシ片の抜けの少ない前記除塵体を有した空気調和機の清掃装置を提供することができる。
【手続補正３】
【補正対象書類名】明細書
【補正対象項目名】００１２
【補正方法】変更
【補正の内容】
【００１２】
第２の発明は、本体に設けられた吸込口と吹出口を結ぶ空気通路に、除塵用のエアフィルターを配置してなる空気調和機において、前記エアフィルターに付着した塵埃の除去手段として、ブラシ片が複数の芯線により捩られた除塵体を有し、前記複数の芯線の少なくとも１本以上の断面は、曲線と直線で囲まれた形状を有しているため、腰の強い、全長が長くても撓みの少なく、かつブラシ片の抜けの少ない前記除塵体を有した空気調和機の清掃装置を提供することができる。
【手続補正４】
【補正対象書類名】明細書
【補正対象項目名】００１３
【補正方法】変更
【補正の内容】
【００１３】
第３の発明は、本体に設けられた吸込口と吹出口を結ぶ空気通路に、除塵用のエアフィルターを配置してなる空気調和機において、前記エアフィルターに付着した塵埃の除去手段として、ブラシ片が複数の芯線により捩られた除塵体を有し、前記複数の芯線の少なくとも１本以上の断面は、２つの定点からの距離の和が一定な点の軌跡で囲まれた楕円形状の断面を有しているため、腰の強い、全長が長くても撓みの少なく、かつブラシ片の抜けの少ない前記除塵体を有した空気調和機の清掃装置を提供することができる。
【手続補正５】
【補正対象書類名】明細書
【補正対象項目名】００１４
【補正方法】変更
【補正の内容】
【００１４】
第４の発明は、本体に設けられた吸込口と吹出口を結ぶ空気通路に、除塵用のエアフィルターを配置してなる空気調和機において、前記エアフィルターに付着した塵埃の除去手段として、ブラシ片が複数の芯線により捩られた除塵体を有し、前記複数の芯線の少なくとも１本以上の断面は、１つ以上の角部と１つ以上の曲線で囲まれた形状を有しているため、腰の強い、全長が長くても撓みの少なく、かつブラシ片の抜けの少ない前記除塵体を有した空気調和機の清掃装置を提供することができる。
【手続補正６】
【補正対象書類名】明細書
【補正対象項目名】００１５
【補正方法】変更
【補正の内容】
【００１５】
第５の発明は、本体に設けられた吸込口と吹出口を結ぶ空気通路に、除塵用のエアフィルターを配置してなる空気調和機において、前記エアフィルターに付着した塵埃の除去手段として、前記エアフィルターに付着した塵埃の除去手段として、ブラシ片が複数の芯線により捩られた除塵体を有し、前記複数の芯線の少なくとも１本以上の断面は、少なくとも４つ以上の接点、及び４つ以上の円弧で囲まれた形状を有しているため、腰の強い、全長が長くても撓みの少なく、かつブラシ片の抜けの少ない前記除塵体を有した空気調和機の清掃装置を提供することができる。
【手続補正７】
【補正対象書類名】明細書
【補正対象項目名】００１６
【補正方法】変更
【補正の内容】
【００１６】
第６の発明は、本体に設けられた吸込口と吹出口を結ぶ空気通路に、除塵用のエアフィルターを配置してなる空気調和機において、前記エアフィルターに付着した塵埃の除去手段として、ブラシ片が３本以上の芯線により捩られた除塵体を有し、前記３本以上の芯線の断面は円形状を有するため、腰の強い、全長が長くても撓みの少なく、かつブラシ片の抜けの少ない前記除塵体を有した空気調和機の清掃装置を提供することができる。
【手続補正書】
【提出日】平成21年3月29日(2009.3.29)
【手続補正１】
【補正対象書類名】特許請求の範囲
【補正対象項目名】全文
【補正方法】変更
【補正の内容】
【特許請求の範囲】
【請求項１】
本体に設けられた吸込口と吹出口を結ぶ空気通路に、除塵用のエアフィルターを配置してなる空気調和機において、前記エアフィルターに付着した塵埃の除去手段として、基台とブラシ片を有する除塵体が形成されてあり、前記ブラシ片は、先端部が根元部よりも細い先細り形状としたことを特徴とする、空気調和機の清掃装置。
【請求項２】
本体に設けられた吸込口と吹出口を結ぶ空気通路に、除塵用のエアフィルターを配置してなる空気調和機において、前記エアフィルターに付着した塵埃の除去手段として、基台とブラシ片を有する除塵体が形成されてあり、前記ブラシ片は、前記エアフィルターに接触する先端部を略球形状としたことを特徴とする、空気調和機の清掃装置。
【請求項３】
本体に設けられた吸込口と吹出口を結ぶ空気通路に、除塵用のエアフィルターを配置してなる空気調和機において、前記エアフィルターに付着した塵埃の除去手段として、基台とブラシ片を有する除塵体が形成されてあり、前記ブラシ片は、前記エアフィルターに接触する先端部を少なくとも２つ以上に細分割したことを特徴とする、空気調和機の清掃装置。
【請求項４】
本体に設けられた吸込口と吹出口を結ぶ空気通路に、除塵用のエアフィルターを配置してなる空気調和機において、前記エアフィルターに付着した塵埃の除去手段として、基台とブラシ片を有する除塵体が形成されてあり、前記ブラシ片は、先端部が前記基台平面に対する垂直方向に対して傾斜角度を有していることを特徴とする、空気調和機の清掃装置。
【請求項５】
本体に設けられた吸込口と吹出口を結ぶ空気通路に、除塵用のエアフィルターを配置してなる空気調和機において、前記エアフィルターに付着した塵埃の除去手段として、基台とブラシ片を有する除塵体が形成されてあり、前記ブラシ片は、根元部から先端部にかけて波形状を有していることを特徴とする、空気調和機の清掃装置。
【請求項６】
本体に設けられた吸込口と吹出口を結ぶ空気通路に、除塵用のエアフィルターを配置してなる空気調和機において、前記エアフィルターに付着した塵埃の除去手段として、基台とブラシ片を有する除塵体が形成されてあり、前記ブラシ片は、先端部がループ状に形成されていることを特徴とする、空気調和機の清掃装置。
【請求項７】
本体に設けられた吸込口と吹出口を結ぶ空気通路に、除塵用のエアフィルターを配置してなる空気調和機において、前記エアフィルターに付着した塵埃の除去手段として、基台とブラシ片を有する除塵体が形成されてあり、前記ブラシ片は、長手方向の根元部から先端部にかけて3本以上の稜線が形成されていることを特徴とする、空気調和機の清掃装置。
【請求項８】
本体に設けられた吸込口と吹出口を結ぶ空気通路に、除塵用のエアフィルターを配置してなる空気調和機において、前記エアフィルターに付着した塵埃の除去手段として、基台とブラシ片を有する除塵体が形成されてあり、前記ブラシ片は、導電糸を有していることを特徴とする、請求項１〜７のいずれか１項に記載の空気調和機の清掃装置。
【請求項９】
本体に設けられた吸込口と吹出口を結ぶ空気通路に、除塵用のエアフィルターを配置してなる空気調和機において、前記エアフィルターに付着した塵埃の除去手段として、基台とブラシ片を有する除塵体が形成されてあり、前記ブラシ片は、撚り線、あるいは導電糸入りの撚り線にて形成されていることを特徴とする、空気調和機の清掃装置。
【請求項１０】
請求項１〜９記載のうち、何れかに記載の清掃装置を有する、空気調和機。
【手続補正２】
【補正対象書類名】明細書
【補正対象項目名】００１０
【補正方法】変更
【補正の内容】
【００１０】
第１の発明は、本体に設けられた吸込口と吹出口を結ぶ空気通路に、除塵用のエアフィルターを配置してなる空気調和機において、前記エアフィルターに付着した塵埃の除去手段として、基台とブラシ片を有する除塵体が形成されてあり、前記ブラシ片は、先端部が根元部よりも細い先細り形状としたので、前記エアフィルターの表面に柔らかく接触して前記エアフィルターの表面を効率よく拭き取る。また前記エアフィルターの網目にくい込むように接し、かつ根元部が先端部に比べて太いので、腰のある前記除塵体が形成され、前記エアフィルターに付着した塵埃を、効率よく掻きとることができる。また、前記エアフィルターの網目の破損を少なくするとともに、前記空気調和機の表面に傷をつけずに清掃ができる。
【手続補正３】
【補正対象書類名】明細書
【補正対象項目名】００１１
【補正方法】変更
【補正の内容】
【００１１】
第２の発明は、本体に設けられた吸込口と吹出口を結ぶ空気通路に、除塵用のエアフィルターを配置してなる空気調和機において、前記エアフィルターに付着した塵埃の除去手段として、基台とブラシ片を有する除塵体が形成されてあり、前記ブラシ片は、前記エアフィルターに接触する先端部を略球形状としたので、前記エアフィルターに付着した塵埃の清掃の際に、前記エアフィルターの網目の破損を少なくすることができる。また前記ブラシ片の先端部を、前記エアフィルターの網目よりも、小さな略球状にすれば、前記エアフィルターの網目にくい込み、前記エアフィルターの網目から外れる際に、前記エアフィルターに振動を与え、前記エアフィルターに付着した塵埃を、より効率よく掻き落とすことができる。
【手続補正４】
【補正対象書類名】明細書
【補正対象項目名】００１２
【補正方法】変更
【補正の内容】
【００１２】
第３の発明は、本体に設けられた吸込口と吹出口を結ぶ空気通路に、除塵用のエアフィルターを配置してなる空気調和機において、前記エアフィルターに付着した塵埃の除去手段として、基台とブラシ片を有する除塵体が形成されてあり、前記ブラシ片は、前記エアフィルターに接触する先端部を少なくとも２つ以上に細分割したので、前記エアフィルターの表面を効率よく拭き取る。また前記ブラシ片の先端部が、前記エアフィルターの網目にくい込み、かつ根元部が先端部に比べて太いので、腰のある除塵体が形成され、エアフィルターに付着した塵埃を効率よく掻きとることができる。また、前記エアフィルターの網目の破損を少なくするとともに、前記空気調和機の表面に傷をつけずに清掃ができる。
【手続補正５】
【補正対象書類名】明細書
【補正対象項目名】００１３
【補正方法】変更
【補正の内容】
【００１３】
第４の発明は、本体に設けられた吸込口と吹出口を結ぶ空気通路に、除塵用のエアフィルターを配置してなる空気調和機において、前記エアフィルターに付着した塵埃の除去手段として、基台とブラシ片を有する除塵体が形成されてあり、前記ブラシ片は、先端部が前記基台平面に対する垂直方向に対して傾斜角度を有していることを特徴としているので、前記エアフィルターの表面に強い力で接触し、または前記エアフィルターの網目にくい込み、前記フィルターに付着した塵埃を効率よく掻きとることができる。また、反対に戻る際には柔らかく接触するので、前記エアフィルターの表面を効率よく拭き取ることができる。
【手続補正書】
【提出日】平成21年3月25日(2009.3.25)
【手続補正１】
【補正対象書類名】特許請求の範囲
【補正対象項目名】全文
【補正方法】変更
【補正の内容】
【特許請求の範囲】
【請求項１】
氷点より低い温度で収納物を保存する貯蔵室と、
前記貯蔵室の上部に取り付けられ、前記貯蔵室内の空間の温度を検出する温度センサと、
前記貯蔵室の背面に設けられ該貯蔵室の背面から前方に向かって冷気を吐出する冷気吐出口と、
前記冷気吐出口から前記貯蔵室へと吐出される冷気の低温による影響から前記温度センサを保護する保護部材と、
前記貯蔵室内の前記収納物が過冷却状態となるように前記温度センサによって検出される温度に基づきダンパー装置を制御する制御装置と、を備え、
過冷却解除時の収納物の温度上昇が前記温度センサによって検出されると前記収納物の過冷却の解除を検知することを特徴とする冷蔵庫。
【請求項２】
氷点より低い温度で収納物を保存する貯蔵室と、
前記貯蔵室の上部に取り付けられ、前記貯蔵室内の空間の温度を検出する温度センサと、
前記貯蔵室の背面に設けられ該貯蔵室の背面から前方に向かって冷気を吐出する冷気吐出口と、
前記冷気吐出口から前記貯蔵室へと吐出される冷気の低温による影響から前記温度センサを保護する保護部材と、
前記温度センサによって検出される温度に基づきダンパー装置を制御する制御装置と、を備え、
過冷却運転モードかを判別して該過冷却運転モードの場合タイマーをスタートして、
前記貯蔵室内の前記収納物が過冷却状態となるように前記温度センサによって検出される温度が第一の温度よりも高い場合に前記ダンパー装置を開き、前記温度センサによって検出される温度が第二の温度よりも低い場合に前記ダンパー装置を閉じ、前記第一の温度と前記第二の温度との間に所定時間保持されるようにダンパー装置を制御して、
過冷却解除時の収納物の温度上昇が前記温度センサによって検出されると前記収納物の過冷却の解除を検知することを特徴とする冷蔵庫。
【請求項３】
氷点より低い温度で収納物を保存する貯蔵室と、
前記貯蔵室の上部に取り付けられ、前記貯蔵室内の空間の温度を検出する温度センサと、
前記貯蔵室の背面に設けられ該貯蔵室の背面から前方に向かって冷気を吐出する冷気吐出口と、
前記冷気吐出口から前記貯蔵室へと吐出される冷気の低温による影響から前記温度センサを保護する保護部材と、
前記貯蔵室内の前記収納物が過冷却状態となるように前記温度センサによって検出される温度に基づきダンパー装置を制御する制御装置と、を備え、
過冷却解除時の収納物の温度上昇が前記温度センサによって検出されると前記収納物の過冷却の解除を検知して、過冷却が解除されてから氷温運転に移行することを特徴とする冷蔵庫。
【請求項４】
請求項１乃至３のいずれかにおいて、過冷却が解除されたことを使用者に報知する報知手段を備えたことを特徴とする冷蔵庫。
【手続補正２】
【補正対象書類名】明細書
【補正対象項目名】０００８
【補正方法】変更
【補正の内容】
【０００８】
上記目的を達成するために、冷蔵庫は、氷点より低い温度で収納物を保存する貯蔵室と、前記貯蔵室の上部に取り付けられ、前記貯蔵室内の空間の温度を検出する温度センサと、前記貯蔵室の背面に設けられ該貯蔵室の背面から前方に向かって冷気を吐出する冷気吐出口と、前記冷気吐出口から前記貯蔵室へと吐出される冷気の低温による影響から前記温度センサを保護する保護部材と、前記貯蔵室内の前記収納物が過冷却状態となるように前記温度センサによって検出される温度に基づきダンパー装置を制御する制御装置と、を備え、過冷却解除時の収納物の温度上昇が前記温度センサによって検出されると前記収納物の過冷却の解除を検知することを特徴とする。
【手続補正３】
【補正対象書類名】明細書
【補正対象項目名】０００９
【補正方法】変更
【補正の内容】
【０００９】
また、氷点より低い温度で収納物を保存する貯蔵室と、前記貯蔵室の上部に取り付けられ、前記貯蔵室内の空間の温度を検出する温度センサと、前記貯蔵室の背面に設けられ該貯蔵室の背面から前方に向かって冷気を吐出する冷気吐出口と、前記冷気吐出口から前記貯蔵室へと吐出される冷気の低温による影響から前記温度センサを保護する保護部材と、前記温度センサによって検出される温度に基づきダンパー装置を制御する制御装置と、を備え、過冷却運転モードかを判別して該過冷却運転モードの場合タイマーをスタートして、前記貯蔵室内の前記収納物が過冷却状態となるように前記温度センサによって検出される温度が第一の温度よりも高い場合に前記ダンパー装置を開き、前記温度センサによって検出される温度が第二の温度よりも低い場合に前記ダンパー装置を閉じ、前記第一の温度と前記第二の温度との間に所定時間保持されるようにダンパー装置を制御して、過冷却解除時の収納物の温度上昇が前記温度センサによって検出されると前記収納物の過冷却の解除を検知することを特徴とする。
【手続補正４】
【補正対象書類名】明細書
【補正対象項目名】００１０
【補正方法】変更
【補正の内容】
【００１０】
また、氷点より低い温度で収納物を保存する貯蔵室と、前記貯蔵室の上部に取り付けられ、前記貯蔵室内の空間の温度を検出する温度センサと、前記貯蔵室の背面に設けられ該貯蔵室の背面から前方に向かって冷気を吐出する冷気吐出口と、前記冷気吐出口から前記貯蔵室へと吐出される冷気の低温による影響から前記温度センサを保護する保護部材と、前記貯蔵室内の前記収納物が過冷却状態となるように前記温度センサによって検出される温度に基づきダンパー装置を制御する制御装置と、を備え、過冷却解除時の収納物の温度上昇が前記温度センサによって検出されると前記収納物の過冷却の解除を検知して、過冷却が解除されてから氷温運転に移行することを特徴とする。
【手続補正５】
【補正対象書類名】明細書
【補正対象項目名】００１１
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】